(57)【要約】【課題】構造が簡単でありながら種々のワイヤーハーネスの形状に対応でき、確実にワイヤーハーネスの分岐部を覆って保護することができるクリップを提供する。【解決手段】クリップ１は、ワイヤーハーネス１００の幹線１０１と幹線１０１から枝分かれした枝線１０２との分岐部１０３を覆って保護するために、蛇腹部５において折り曲げることにより分岐部１０３を覆って保護する平板状の本体部２と、本体部２の一端部側に設けられ帯状のバンドクリップ部１７を有し、本体部２が分岐部１０３を覆っている状態で本体部２を分岐部１０３に対して固定するために帯状のバンドクリップ部１７を枝線に巻いて固定するための保持部３と、本体部２の他端部側に設けられ枝線１０２に巻かれたバンドクリップ部１７を通して本体部２の他端部をバンドクリップ部１７で保持するためのバンドクリップ部の挿入部４とを備える。【選択図】図１
2009232580.tif 000002
【特許請求の範囲】
【請求項１】
ワイヤーハーネスの幹線と前記幹線から枝分かれした枝線との分岐部を覆って保護するクリップであって、
蛇腹部を有し、前記蛇腹部において折り曲げることにより前記分岐部を覆って保護する平板状の本体部と、
前記本体部の一端部側に設けられ、帯状のバンドクリップ部を有し、前記本体部が前記分岐部を覆っている状態で前記本体部を前記分岐部に対して固定するために前記帯状のバンドクリップ部を前記枝線に巻いて固定するための保持部と、
前記本体部の他端部側に設けられ、前記枝線に巻かれた前記バンドクリップ部を通して前記本体部の前記他端部を前記バンドクリップ部で保持するためのバンドクリップ部の挿入部と、
を備えることを特徴とするクリップ。
【請求項２】
前記保持部は、装着対象物の穴にはめ込んで固定するためのはめ込み突起部を有することを特徴とする請求項１に記載のクリップ。
【請求項３】
前記保持部は、前記帯状のバンドクリップ部を挿入して固定する取り付け穴部を有することを特徴とする請求項１または請求項２に記載のクリップ。
【請求項４】
前記保持部は、前記本体の前記一端部に対して首振り可能に設けられ、複数の前記挿入部が、前記本体の前記他端部に対して間隔をおいて設けられていることを特徴とする請求項１〜請求項３のいずれか１つの項に記載のクリップ。
【請求項５】
前記蛇腹部は、前記本体部の前記一端部と前記他端部の中央部に設けられていることを特徴とする請求項４に記載のクリップ。
【請求項６】
前記本体部の前記分岐部に接する面側には、前記分岐部に食い込ませるためのセレーションが設けられていることを特徴とする請求項５に記載のクリップ。
【発明の詳細な説明】
【技術分野】
【０００１】
本発明は、クリップに関し、特にワイヤーハーネスを覆って分岐部を保護するクリップに関する。
【背景技術】
【０００２】
ワイヤーハーネスは、例えば自動車の車体に取り付けられる際に、ワイヤーハーネスを構成している複数本の電線を保護するために、複数本の電線の外周囲には外装が取り付けられている。
ワイヤーハーネスの幹線とこの幹線から枝分かれしている枝線は、様々な形状の外装で保護されているが、幹線と枝線の間の部分である分岐部については、テープによる結束が主であり、分岐部の電線を覆って確実に保護することはできない。
ワイヤーハーネスの形態に関係なく取り付けることができる保護具が提案されている。この保護具は、外部干渉材と接触するおそれのある部分を覆う保護部分と、保護部分をワイヤーハーネスに固定するためのベルト巻取付部を有している。
（例えば、特許文献１参照）。
【特許文献１】特開平１１−８９０４３号公報
【発明の開示】
【発明が解決しようとする課題】
【０００３】
ところが、特許文献１に記載されている保護具は、分岐部の全体を保護することができず、分岐部の一部が露出してしまっているので、分岐部を覆って確実に保護することができない。
また、自動車の車体の形状により、ワイヤーハーネスの分岐部の保護が必要になった場合には、分岐部周辺は大型の樹脂プロテクタを用いて一体的に覆うことで保護することも考えられるが、大型の樹脂プロテクタは分岐部の形状に合わせて成形されているので、汎用性がなくコストアップにつながり、形状の異なる分岐部の形状に合わせて多くの種類の樹脂プロテクタを用意しなければならない。さらに、大型の樹脂プロテクタを設置するためにレイアウトに制約が出る可能性がある。
【０００４】
そこで、本発明は上記課題を解消するために、構造が簡単でありながら種々のワイヤーハーネスの形状に対応でき、確実にワイヤーハーネスの分岐部を覆って保護することができるクリップを提供することを目的とする。
【課題を解決するための手段】
【０００５】
上記課題を解消するために、本発明のクリップは、ワイヤーハーネスの幹線と前記幹線から枝分かれした枝線との分岐部を覆って保護するクリップであって、
蛇腹部を有し、前記蛇腹部において折り曲げることにより前記分岐部を覆って保護する平板状の本体部と、
前記本体部の一端部側に設けられ、帯状のバンドクリップ部を有し、前記本体部が前記分岐部を覆っている状態で前記本体部を前記分岐部に対して固定するために前記帯状のバンドクリップ部を前記枝線に巻いて固定するための保持部と、
前記本体部の他端部側に設けられ、前記枝線に巻かれた前記バンドクリップ部を通して前記本体部の前記他端部を前記バンドクリップ部で保持するためのバンドクリップ部の挿入部と、
を備えることを特徴とする。
【０００６】
本発明のクリップは、好ましくは前記保持部は、装着対象物の穴にはめ込んで固定するためのはめ込み突起部を有することを特徴とする。
本発明のクリップは、好ましくは前記保持部は、前記帯状のバンドクリップ部を挿入して固定する取り付け穴部を有することを特徴とする。
本発明のクリップは、好ましくは前記保持部は、前記本体の前記一端部に対して首振り可能に設けられ、複数の前記挿入部が、前記本体の前記他端部に対して間隔をおいて設けられていることを特徴とする。
【０００７】
本発明のクリップは、好ましくは前記蛇腹部は、前記本体部の前記一端部と前記他端部の中央部に設けられていることを特徴とする。
本発明のクリップは、好ましくは前記本体部の前記分岐部に接する面側には、前記分岐部に食い込ませるためのセレーションが設けられていることを特徴とする。
【発明の効果】
【０００８】
本発明によれば、構造が簡単でありながら種々のワイヤーハーネスの形状に対応でき、確実にワイヤーハーネスの分岐部を覆って保護することができるクリップを提供できる。
【発明を実施するための最良の形態】
【０００９】
以下、図面を参照して、本発明の好ましい実施形態を詳細に説明する。  
図１〜図４は、本発明のクリップの好ましい実施形態の形状例を示している。図１は、クリップ１の斜視図であり、図２は、クリップ１の平面図である。図３は、図２のクリップ１をＭ方向から見た側面図であり、図４は、図２のクリップ１をＮ方向から見た側面図である。
【００１０】
図１と図２に示すように、クリップ１は、例えばプラスチックを一体成形することで、長方形に形成されており、図１に示すワイヤーハーネス１００に対して装着され、ワイヤーハーネス１００の分岐部１０３を確実に覆って分岐部１０３の保護をするために用いられる。
ワイヤーハーネス１００は、幹線１０１と、この幹線１０１から分岐された枝線１０２を有しており、分岐部１０３はこの幹線１０１の一部と枝線１０２の一部を含む領域である。クリップ１は、分岐部保護クリップとも言い、ワイヤーハーネス１００の幹線１０１とこの幹線１０１から枝分かれした枝線１０２との分岐部１０３を覆って保護する。
クリップ１は、平板状の本体部２と、保持部３と、バンドクリップ部の挿入部４を備える。
【００１１】
図１と図２に示すように、本体部２は、蛇腹部５と平坦面部６，７を有している。この蛇腹部５は平坦面部６，７の間の中央部に形成され、本体部２の外面８側に形成されている。蛇腹部５では、図１と図３に示すように、凹部５Ｂと凸部５Ｃが交互にＴ方向に沿って形成されている。図５は、この本体部２が蛇腹部５で折り曲げられた状態を示しており、図１と図３に示す本体部２は、この蛇腹部５によりＲ方向に折り曲げて断面Ｕ字形にすることで、図５に示す折り曲げ状態にすることができる。この折り曲げ状態では、本体部２の平坦面部６，７が平行に配置される。蛇腹部５は、様々な大きさの幹線１０１の直径に対応できるように、細かい薄肉部である凹部５Ｂと厚肉部である凸部５Ｃが連続して形成されている。
【００１２】
図３と図５に示すように、この本体部２の平坦面部６，７の内面９，１０には、セレーション１１，１２，１３，１４がＴ方向に沿って形成されている。セレーション１１，１３は、断面三角形状を有しており、セレーション１２，１４は断面矩形である。これらのセレーション１１，１２，１３，１４は、図５に示すように、本体部２の平坦面部６，７が平行に配置されている状態では、間隔をおいて対面する。
【００１３】
図６に示すように本体部２の平坦面部６，７の間に、ワイヤーハーネス１００の幹線１０１と枝線１０２の分岐部１０３が挟み込まれた状態では、セレーション１１，１２，１３，１４は分岐部１０３に対して噛み込むことで、本体部２は分岐部１０３に固定することができる。これにより、ワイヤーハーネス１００とクリップ１との相対的なズレを防止できる。
【００１４】
図１〜図３に示す保持部３は、本体部２の一端部側である平坦面部６の側部１５に設けられている。保持部３は、はめ込み突起部１６と、帯状のバンドクリップ部１７と、バンドクリップ部１７を挿入して固定するための挿入固定部１８を有している。はめ込み突起部１６は、受け部分１９に対してＺ方向に沿って突出して形成されている。受け部分１９は円盤状である。
【００１５】
図６に示すように、はめ込み突起部１６は、例えば自動車の車体の装着対象部Ｐの穴２０にはめ込んで挿入される。これにより、保持部３の受け部分１９とはめ込み突起部１６の間には、装着対象部Ｐが挟まれることにより、保持部３は装着対象物Ｐに対して固定できる。
【００１６】
図１に示すように、バンドクリップ部１７は、Ｔ方向（長手方向）に沿って複数の凹凸部２１を有している。この凹凸部２１の先端部１７Ｒが、挿入固定部１８に挿入されることにより、凹凸部２１のいずれかの部分がこの挿入固定部１８内の凹凸部に対してはまり込むことにより外れないようにして固定できる。図６に示すように、本体部２が分岐部１０３を覆っている状態で本体部２を分岐部１０３に対して固定するために、帯状のバンドクリップ部１７は枝線１０２に巻いて固定するようになっている。
【００１７】
図１〜図３に示すバンドクリップ部の挿入部４は、本体部２の他端部側である平坦面部７の側部２２に設けられている。バンドクリップ部の挿入部４は通し穴４Ｈを有しており、この通し穴４Ｈには枝線１０２に巻かれたバンドクリップ部１７の途中部分を通して、本体部２の他端部をバンドクリップ部１７で保持するようになっている。これにより、本体部２は、図６に示すように断面Ｕ字型を保ちながら、分岐部１０３を確実に覆って保護することができる。
【００１８】
次に、図７に示すように、上述したクリップ１をワイヤーハーネス１００の分岐部１０３に対して装着して、この分岐部１０３の保護をする作業を説明する。
図１に示す本体部２の平坦面部６，７は、蛇腹部５により図６に示すように分岐部１０３を挟み込んで配置する。これにより、平坦面部６，７のセレーション１１，１２，１３，１４は、分岐部１０３に対して噛み込むことで、本体部２は分岐部１０３に対して位置ズレが生じない。
【００１９】
この状態で、図１と図６に示すバンドクリップ部１７の先端部１７Ｒは、枝線１０２の周囲を回して挿入部４の通し穴４Ｈに通して、そして保持部３の挿入固定部１８に挿入して固定される。これにより、バンドクリップ部１７の凹凸部２１の一部が、この挿入固定部１８により保持部３から外れないようにして固定できる。
【００２０】
このようにして、図７に示すように、本体部２が分岐部１０３を覆っている状態で、本体部２を分岐部１０３に対して固定するために帯状のバンドクリップ部１７を枝線１０２に巻いて強固に固定できる。従って、本体部２は分岐部１０３を確実に覆って保護することができる。
【００２１】
次に、図８を参照して、本発明のクリップの別の実施形態を説明する。
図８（Ａ）に示すクリップ１Ｂが、図１に示すクリップ１と比較して異なるのは、次の構成要素である。図８に示すクリップ１Ｂの他の構成要素は、図１に示すクリップ１の対応する構成要素と実質的に同じであるのでその説明を用いる。
【００２２】
保持部３Ｂが本体部２Ｂの一端部側である平坦面部６Ｂに設けられているが、この保持部３Ｂは本体部２Ｂの一端部に対して連結部３Ｓにより接続されている。この連結部３Ｓは、例えば凹部３０，３１を有しており、この連結部３Ｓが弾性変形することにより、保持部３Ｂは本体部２Ｂに対してＧ方向に首振りして移動可能である。平坦面部７Ｂの側部２２Ｂは円弧形状になっている。これに対して、複数個の挿入部４Ｂが所定角度毎に離して設けられている。
【００２３】
このような構成にすることで、ワイヤーハーネス１００の幹線１０１に対して枝線１０２が９０度を超える角度θで突出している場合であっても、バンドクリップ部１７の先端部１７Ｒは、枝線１０２の周囲を回して、例えば図８（Ｂ）に示す挿入部４Ｂ−１の通し穴４Ｈに通して、そして保持部３の挿入固定部１８に挿入して固定される。これにより、バンドクリップ部１７の凹凸部２１の一部が、この挿入固定部１８により保持部３Ｂから外れないようにして固定できる。
【００２４】
一般に、ワイヤーハーネスの分岐部を幹線と枝線に分ける場合には、幹線は１本であるのに対して枝線は複数本存在する場合がある。幹線と枝線に対してともに外装が付いている状態では、分岐部のみがテープ巻きで結束されており、外装が無い状態である。
本発明の実施形態では、分岐部１０３は、上述したクリップ１，１Ｂを用いることにより、確実に覆って保護することができる。
【００２５】
上述したように、クリップ１，１Ｂの本体部２，２Ｂは、蛇腹部５を用いてほぼ断面Ｕ字型に曲げることで分岐部１０３に巻き付けるように取り付けて、固定したい枝線１０２に対してバンドクリップ部１７を回して挿入部４の通し穴４Ｈに通して保持部３，３Ｂの挿入固定部１８により挿入することで、バンドクリップ部１７により枝線１０２を締め付けて固定できる。
【００２６】
本発明のクリップは、ワイヤーハーネスの幹線と幹線から枝分かれした枝線との分岐部を覆って保護するクリップであって、蛇腹部を有し、蛇腹部において折り曲げることにより分岐部を覆って保護する平板状の本体部と、本体部の一端部側に設けられ、帯状のバンドクリップ部を有し、本体部が分岐部を覆っている状態で本体部を分岐部に対して固定するために帯状のバンドクリップ部を枝線に巻いて固定するための保持部と、本体部の他端部側に設けられ、枝線に巻かれたバンドクリップ部を通して本体部の他端部をバンドクリップ部で保持するためのバンドクリップ部の挿入部と、を備える。これにより、構造が簡単でありながら種々のワイヤーハーネスの形状に対応でき、確実にワイヤーハーネスの分岐部を覆って保護することができる。
【００２７】
保持部は、装着対象物の穴にはめ込んで固定するためのはめ込み突起部を有する。これにより、分岐部を覆って保護するクリップは、装着対象物に対して簡単に確実に固定することができる。
保持部は、帯状のバンドクリップ部を挿入して固定する取り付け穴部を有することを特徴とする。これにより、枝線に巻かれたバンドクリップ部は保持部に対して確実に固定でき、クリップは確実に強固に固定できる。
【００２８】
保持部は、本体の一端部に対して首振り可能に設けられ、複数の挿入部が、本体の他端部に対して間隔をおいて設けられている。これにより、枝線が幹線に対して傾いて形成されている場合でも、クルップは分岐部を確実に覆って保護できる。
蛇腹部は、本体部の一端部と他端部の中央部に設けられている。これにより、本体部はほぼ断面Ｕ字型に折り曲げることで、分岐部を確実に覆うことができる。
本体部の分岐部に接する面側には、分岐部に食い込ませるためのセレーションが設けられている。これにより、分岐部と本体部の位置ズレが生じない。
【００２９】
ところで、本発明は、上記実施形態に限定されず種々の変形例を採用できる。
例えば、蛇腹部は本体部のほぼ中央位置以外の位置に形成しても良い。セレーションの断面形状は、特に限定されず任意に選択できる。
【図面の簡単な説明】
【００３０】
【図１】本発明のクリップの好ましい実施形態を示す斜視図である。
【図２】図１のクリップの平面図である。
【図３】図２のクリップをＭ方向から見た側面図である。
【図４】図２のクリップをＮ方向から見た側面図である。
【図５】本体部を蛇腹部で折り曲げた状態を示す図である。
【図６】本体部を蛇腹部で折り曲げて幹線と枝線を挟んだ状態を示す図である。
【図７】分岐部に対してクリップが装着された状態を示す平面図である。
【図８】本発明の別の実施形態を示す図である。
【符号の説明】
【００３１】
１            クリップ
２            本体部
３            保持部
４            バンドクリップ部の挿入部
５            蛇腹部
・  平坦面部
１１，１２，１３，１４    セレーション
１６          はめ込み突起部
１７          帯状のバンドクリップ部
１８          バンドクリップ部
１００        ワイヤーハーネス
１０１        幹線
１０２        枝線
１０３        分岐部
【図１】
2009232580.tif 000003
【図２】
2009232580.tif 000004
【図３】
2009232580.tif 000005
【図４】
2009232580.tif 000006
【図５】
2009232580.tif 000007
【図６】
2009232580.tif 000008
【図７】
2009232580.tif 000009
【図８】
2009232580.tif 000010